(57)【要約】      （修正有）【課題】部品点数が少なく、構造が簡易であり、小型かつ軽量な音声伝達装置を提供する。【解決手段】音声伝達装置は、平板状に形成された振動板１１１と、振動板１１１の板面を人体の耳に当接した状態で人体に装着させる装着部１２０と、振動板１１１を振動させる駆動信号を発生する駆動部１３０とを備える。また、振動板１１１は、柔軟性を有しており、装着部１２０により人体に装着されると変形した状態で人体の耳に当接する。【選択図】図２
2014175947.tif 000002
【特許請求の範囲】
【請求項１】
平板状に形成された振動板と、
前記振動板の板面を人体の耳に当接した状態で人体に装着させる装着部と、
前記振動板を振動させる駆動信号を発生する駆動部と、
を備える音声伝達装置。
【請求項２】
請求項１に記載の音声伝達装置において、
前記振動板は、柔軟性を有しており、前記装着部により人体に装着されると変形した状態で人体の耳に当接すること、
を特徴とする音声伝達装置。
【請求項３】
請求項１又は請求項２に記載の音声伝達装置において、
前記振動板は、前記振動板に対して前記駆動信号が与えられると逆圧電効果によって自らが振動を行うこと、
を特徴とする音声伝達装置。
【請求項４】
請求項３に記載の音声伝達装置において、
前記振動板は、
逆圧電効果を有して変位力を生じる変位層と、
前記変位層を両側から挟む少なくとも一対の電極層と、
前記電極層を保護する保護層と、
を有すること、
を特徴とする音声伝達装置。
【請求項５】
請求項３又は請求項４に記載の音声伝達装置において、
前記振動板は、複数積層された圧電材料を用いること、
を特徴とする音声伝達装置。
【請求項６】
請求項１又は請求項２に記載の音声伝達装置において、
前記振動板には、振動部が取り付けられており、
前記振動板は、前記振動部が有する振動子に前記駆動信号が与えられ前記振動子が振動することにより伝えられる振動によって振動すること、
を特徴とする音声伝達装置。
【請求項７】
請求項６に記載の音声伝達装置において、
前記振動子は、周囲の少なくとも一部を保護部材により覆われていること、
を特徴とする音声伝達装置。
【請求項８】
請求項７に記載の音声伝達装置において、
前記保護部材は、前記振動子を収容する空間を有し、
前記振動子は、前記空間内において、一方の面が前記保護部材に対して両面テープにより貼り付けられており、他方の面と前記保護部材との間には、空隙が設けられていること、
を特徴とする音声伝達装置。
【請求項９】
請求項１から請求項８までのいずれか１項に記載の音声伝達装置において、
前記振動板は、左右の耳に対応して少なくとも一対設けられており、
前記装着部は、前記振動板が人体の頭部を耳に当接する位置で挟み込むように前記振動板に対して付勢力を与えること、
を特徴とする音声伝達装置。
【発明の詳細な説明】
【技術分野】
【０００１】
本発明は、逆圧電効果を利用して音声を伝達する音声伝達装置に関するものである。
【背景技術】
【０００２】
圧電フィルムを用いたヘッドホンが、特許文献１に開示されている。この特許文献１のヘッドホンでは、圧電フィルムがケース内に配置されており、圧電フィルムが発生する気導音を耳に伝えるようになっている。したがって、圧電フィルム自体は、耳に接触することはない。
【０００３】
また、振動子と振動板とを用いたヘッドセットが特許文献２に開示されている。この特許文献２のヘッドセットでは、振動板が発生する気導音を耳に伝える。特許文献２の振動板は、耳に完全接触せずに所定距離隔てられて配置されており、この空間により広帯域に亘って高音質の再生を可能としている。
【０００４】
また、上述した文献以外において、一般的なオーディオ用ヘッドホンは、フルオープン型、オープン型、セミオープン型、密閉型を問わず、振動板を直接耳に当接する形態のものはなかった。これは、振動板の振動稼働を容易にする構造としてダンパーバネにより支持しているため、直接人体に振動板を当接すると振動を抑えてしまい気導音圧が低くなるという理由からであった。
【先行技術文献】
【特許文献】
【０００５】
【特許文献１】特公平１−６０９９９号公報
【特許文献２】特開２０１１−１３５５４２号公報
【発明の概要】
【発明が解決しようとする課題】
【０００６】
しかし、従来のように振動板を耳に当接させないようにするためには、振動板を支持する部材の構造が複雑になったり、部品点数が増加したりして、これにより重量の増加や大型化を招く場合があった。
【０００７】
本発明の課題は、部品点数が少なく、構造が簡易であり、小型かつ軽量な音声伝達装置を提供することである。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、平板状に形成された振動板（１１１，２１１，５１１，６１１，７１１）と、前記振動板の板面を人体の耳に当接した状態で人体に装着させる装着部（１２０，５２０，６２０）と、前記振動板を振動させる駆動信号を発生する駆動部（１３０）と、を備える音声伝達装置（１００，２００，３００，４００，５００，６００，７００）を提案している。
【００１０】
この発明によれば、振動板は、平板状に形成されている。装着部は、振動板の板面を人体の耳に当接した状態で人体に装着させる。駆動部は、振動板を振動させる駆動信号を発生する。したがって、音声伝達装置は、部品点数が少なく、構造が簡易であり、小型かつ軽量とすることができる。
【００１１】
（２）本発明は、（１）に記載の音声伝達装置において、前記振動板（１１１）は、柔軟性を有しており、前記装着部（１２０）により人体に装着されると変形した状態で人体の耳に当接すること、を特徴とする音声伝達装置（１００）を提案している。
【００１２】
この発明によれば、振動板は、柔軟性を有しており、装着部により人体に装着されると変形した状態で人体の耳に当接する。したがって、音声伝達装置は、振動板の装用感を良好にすることができる。
【００１３】
（３）本発明は、（１）又は（２）に記載の音声伝達装置において、前記振動板（１１１）は、前記振動板に対して前記駆動信号が与えられると逆圧電効果によって自らが振動を行うこと、を特徴とする音声伝達装置（１００）を提案している。
【００１４】
この発明によれば、振動板は、振動板に対して駆動信号が与えられると逆圧電効果によって自らが振動を行う。したがって、音声伝達装置は、別途振動子を設ける必要がなく、非常に簡単な構造とすることができ、部品点数が極めて少なく、小型かつ軽量とすることができる。
【００１５】
（４）本発明は、（３）に記載の音声伝達装置において、前記振動板（１１１）は、逆圧電効果を有して変位力を生じる変位層（１１１ａ）と、前記変位層を両側から挟む少なくとも一対の電極層と、前記電極層を保護する保護層（１１１ｂ）と、を有すること、を特徴とする音声伝達装置（１００）を提案している。
【００１６】
この発明によれば、振動板は、逆圧電効果を有して変位力を生じる変位層と、変位層を両側から挟む少なくとも一対の電極層と、電極層を保護する保護層とを有する。したがって、音声伝達装置は、別途振動子を設ける必要がなく、非常に簡単な構造とすることができ、部品点数が極めて少なく、小型かつ軽量とすることができる。
【００１７】
（５）本発明は、（３）又は（４）に記載の音声伝達装置において、前記振動板（１１１）は、複数積層された圧電材料を用いること、を特徴とする音声伝達装置（１００）を提案している。
【００１８】
この発明によれば、振動板は、複数積層された圧電材料を用いている。したがって、音声伝達装置は、逆圧電効果による変位量を増強することができ、より大きな音量で音声を伝えることが可能となる。
【００１９】
（６）本発明は、（１）又は（２）に記載の音声伝達装置において、前記振動板（２１１）には、振動部（２１３，３１３，４１３）が取り付けられており、前記振動板は、前記振動部が有する振動子（２１４）に前記駆動信号が与えられ前記振動子が振動することにより伝えられる振動によって振動すること、を特徴とする音声伝達装置を提案している。
【００２０】
この発明によれば、振動板には、振動部が取り付けられている。振動板は、振動部が有する振動子に駆動信号が与えられ振動子が振動することにより伝えられる振動によって振動する。したがって、音声伝達装置は、振動板の素材として、より多くの選択肢の中から選択して構成されることができる。
【００２１】
（７）本発明は、（６）に記載の音声伝達装置において、前記振動子（２１４）は、周囲の少なくとも一部を保護部材（２１６，３１６Ａ，３１６Ｂ，４１６Ａ，４１６Ｂ，４１９）により覆われていること、を特徴とする音声伝達装置（２００，３００，４００）を提案している。
【００２２】
この発明によれば、振動子は、周囲の少なくとも一部を保護部材により覆われている。したがって、音声伝達装置は、振動子の破損を防止でき、耐久性を向上できる。
【００２３】
（８）本発明は、（７）に記載の音声伝達装置において、前記保護部材（３１６Ａ，３１６Ｂ）は、前記振動子（２１４）を収容する空間を有し、前記振動子は、前記空間内において、一方の面が前記保護部材に対して両面テープ（３１８）により貼り付けられており、他方の面と前記保護部材との間には、空隙（Ｓ）が設けられていること、を特徴とする音声伝達装置（３００）を提案している。
【００２４】
この発明によれば、保護部材は、振動子を収容する空間を有する。振動子は、空間内において、一方の面が保護部材に対して両面テープにより貼り付けられており、他方の面と保護部材との間には、空隙が設けられている。したがって、音声伝達装置は、振動子の振動を阻害することなく、振動子の破損を保護できる。
【００２５】
（９）本発明は、（１）から（８）までのいずれか１項に記載の音声伝達装置において、前記振動板（１１１，２１１，５１１，６１１，７１１）は、左右の耳に対応して少なくとも一対設けられており、前記装着部（１２０，５２０，６２０）は、前記振動板が人体の頭部を耳に当接する位置で挟み込むように前記振動板に対して付勢力を与えること、を特徴とする音声伝達装置（１００，２００，３００，４００，５００，６００，７００）を提案している。
【００２６】
この発明によれば、振動板は、左右の耳に対応して少なくとも一対設けられている。装着部は、振動板が人体の頭部を耳に当接する位置で挟み込むように振動板に対して付勢力を与える。したがって、音声伝達装置は、振動板を確実に人体の耳に当接させることができる。
【発明の効果】
【００２７】
本発明によれば、音声伝達装置は、部品点数が少なく、構造が簡易であり、小型かつ軽量に構成することができる。また、音声伝達装置は、音と共に振動を外耳に伝えることで、健聴者のみならず伝音性難聴者でも聞き取ることができ、また、振動板を無穴や有穴にも設計可能であり、適用範囲の広い装置とすることができる。
【図面の簡単な説明】
【００２８】
【図１】本発明の第１実施形態の音声伝達装置１００を示す図である。
【図２】音声伝達装置１００の装着状態を示す図である。
【図３】振動板ユニット１１０の斜視図である。
【図４】振動板ユニット１１０を図３中の矢印Ａ−Ａで切断した断面図である。
【図５】音声伝達装置１００の使用状態を説明するブロック図である。
【図６】本発明の第２実施形態の音声伝達装置２００を示す図である。
【図７】振動部２１３を拡大して示した図である。
【図８】振動部２１３を図７中の矢印Ｂ−Ｂで切断した断面図である。
【図９】第３実施形態の振動部３１３を振動部３１３の平面の法線方向から透視して示した図である。
【図１０】振動部３１３を図９中の矢印Ｃ−Ｃで切断した断面図である。
【図１１】第４実施形態の振動部４１３を振動部４１３の平面の法線方向から透視して示した図である。
【図１２】振動部４１３を図１１中の矢印Ｄ−Ｄで切断した断面図である。
【図１３】変形形態として振動板に貫通孔を設けた音声伝達装置７００を示す図である。
【図１４】装着部をヘッドバンド型とした音声伝達装置の例を示す図である。
【図１５】装着部に眼鏡を利用した音声伝達装置の例を示す図である。
【発明を実施するための形態】
【００２９】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３０】
（第１実施形態）
図１は、本発明の第１実施形態の音声伝達装置１００を示す図である。
図２は、音声伝達装置１００の装着状態を示す図である。
なお、図１及び図２を含め、以下に示す各図は、模式的に示した図であり、各部の大きさ、形状は、理解を容易にするために、適宜誇張して示している。
【００３１】
音声伝達装置１００は、振動板ユニット１１０と、装着部１２０と、駆動部１３０と、配線１４０とを備えている。
また、音声伝達装置１００は、図２に示すように、耳介を含めた耳全体に覆いかぶせるように振動板１１１を直接当てて使用する。
【００３２】
振動板ユニット１１０は、振動板１１１と、フレーム１１２とを有しており、左右の耳に対応して２つが対向するように配置されている。
図３は、振動板ユニット１１０の斜視図である。
図４は、振動板ユニット１１０を図３中の矢印Ａ−Ａで切断した断面図である。
振動板１１１は、平板状に形成されており、振動板１１１に対して駆動信号が与えられると逆圧電効果によって自らが振動を行い、駆動信号を音響振動へ変換する。また、振動板１１１は、柔軟性を有しており、人体に装着されると変形した状態で人体の耳に当接する。これにより、振動板１１１が耳にフィットして、装着感を良好にできる。振動板１１１は、圧電膜１１１ａと、保護層１１１ｂとを有している。
【００３３】
圧電膜１１１ａは、柔軟性を有するフィルム状の圧電体により形成されている。圧電膜１１１ａは、フィルム状の圧電体本体であって、それ自体が逆圧電効果を備えて変位力を生じる変位層（不図示）と、この変位層を両側から挟むように配置された電極層（不図示）とを有している。また、この電極層には、一対の導線（不図示）が接続されており、配線１４０と電気的に接続されている。この導線を電極層に接続するには、例えば、導電性接着剤で固定することができる。
【００３４】
圧電膜１１１ａとしては、例えば、ポリＬ乳酸（ＰＬＬＡ）とポリＤ乳酸（ＰＤＬＡ）とを用いた、透明かつ柔軟性を有し、圧電効果を有する材料を用いることができる。具体的には、例えば、関西大学と帝人株式会社とが開発発表を行った圧電材料：関西大学、帝人株式会社、“新規透明圧電材料の開発について”、［online］、2012年9月6日、帝人株式会社［平成25年3月6日検索］、インターネット<URL：http://www.teijin.co.jp/news/2012/jbd120906.pdf>を用いるとよい。
【００３５】
その他、圧電膜１１１ａとしては、例えば、粘弾性ポリマーに圧電セラミックスを混ぜ込み圧電コンポジットとし、電極で挟んだ後に保護層で封止した材料も用いることができる。具体的には、例えば、富士フイルム株式会社が開発発表を行った「BEAT」：河合  基伸、“［ナノテク展］巻き取り式のスピーカーが可能に、富士フイルムがフレキシブル性と音響特性を両立したフィルムを開発”、［online］、2013年1月31日、株式会社  日経BP［平成25年3月6日検索］、インターネット<URL：http://techon.nikkeibp.co.jp/article/EVENT/20130131/263431/>を用いるとよい。
【００３６】
さらに、圧電膜１１１ａとしては、圧電性を示すフィルムとして知られているポリフッ化ビニリデン(PVDF)フィルムを用いてもよい。
【００３７】
保護層１１１ｂは、圧電膜１１１ａの両側に設けられており、圧電膜１１１ａが有する電極を保護する樹脂層である。なお、上述の「BEAT」（富士フイルム株式会社）を用いる場合には、既に保護層が形成されているので、新たに保護層１１１ｂを追加する必要はない。
【００３８】
また、振動板１１１又は圧電膜１１１ａは、複数積層した圧電材で１つの振動板を構成するようにしてもよい。振動板１１１又は圧電膜１１１ａを積層して用いることにより、逆圧電効果による変位量を増強することができ、音声伝達装置１００は、より大きな音量で音声を伝えることが可能となる。
【００３９】
フレーム１１２は、振動板１１１を支える支持部材としての機能を持っている。フレーム１１２は、円環形状に形成されており、内周側に僅かに突出したフランジ部１１２ａが形成されている。このフランジ部１１２ａは、フレーム１１２に振動板１１１を接着材や両面テープで留めるための、のりしろとなる。なお、フレーム１１２に対する振動板１１１の取り付け方は、振動板１１１が折り曲げ可能な場合には、振動板１１１でフレーム１１２を包みこむようにして両面テープや接着剤等で固定してもよい。
なお、フレーム１１２の材料は、振動板１１１を弛まないように支持でき、かつ、形状が容易に変形しない材料であることが望ましい。フレーム１１２の材料としては、例えば、バネ鋼等の金属や樹脂、エラストマ、木材、その他様々な材料を用いることができる。
【００４０】
装着部１２０は、弾性変形して付勢力を生じる材料によって略円弧状に形成されており、左右の振動板ユニット１１０を繋いでいる。本実施形態では、装着部１２０は、利用者の首背面を回り込む形態で装着されるようになっている、いわゆるネックバンド型の形態になっている。装着部１２０の材料としては、例えば、バネ鋼等の金属や樹脂を用いることができる。装着部１２０は、装着部１２０自身が生じる付勢力によって、振動板１１１の板面を人体の耳に当接した状態で人体に装着させた状態を保持する。
【００４１】
図５は、音声伝達装置１００の使用状態を説明するブロック図である。
駆動部１３０は、イコライザ１３１と、アンプ１３２とを備えており、再生機器１５０から送られた音声信号に基づいて、振動板１１１を振動させる駆動信号を発生（音声信号を駆動信号に変換）する回路である。なお、駆動部１３０の機能は、再生機器１５０内に内蔵されていてもよいし、音声伝達装置１００の一部として設けられていてもよい。
なお、本実施形態の駆動部１３０は、図示しないが、電源用電池も有しているが、電源は、例えば、再生機器から供給されるようにしてもよい。
【００４２】
イコライザ１３１は、周波数イコライジングを行って音質変更を行う。イコライザ１３１は、イヤホンの音漏れとして耳に付く２ｋＨｚから５ｋＨｚの出力を抑性することによる音漏れ軽減と、ハードウェアに起因する周波数特性について、その周波数の改善とを行うことができる。なお、音漏れ軽減と周波数改善のどちらを使用するか、又は、両方を使用するかを、ユーザにより切り替えられるようにしてもよい。
【００４３】
アンプ１３２は、一般的なオーディオアンプではなく、圧電素子（容量負荷）用のオーディオアンプを用いる。例えば旭化成エレクトロニクス社製のAK7846を使用することができる。
【００４４】
配線１４０は、駆動部１３０を介して再生機器１５０から送られる音声信号に応じた駆動信号を振動板ユニット１１０に伝えるケーブルである。配線１４０の一端は振動板ユニット１１０に接続されている。また、配線１４０の他端は、不図示のコネクタ等の端子を用いて再生機器１５０等へ接続される。
【００４５】
再生機器１５０は、増幅回路１５１と出力部１５２とを備えている。再生機器１５０は、例えば、携帯音楽再生機、携帯電話装置、テレビジョン受像機等、音声を出力する機器であれば、その形態は、どのようなものであってもよい。
増幅回路１５１は、再生する音楽等の音声信号を増幅するアンプである。
出力部１５２は、再生機器１５０から音声を出力する端子である。この出力部１５２に対して、音声伝達装置１００の配線１４０に設けられた端子（不図示）が接続される。
【００４６】
上述した構成の音声伝達装置１００を図２に示したように装着すると、先にも述べたように、振動板１１１が自然に撓んで耳に直接当接する。そして、振動板１１１が振動すると、耳に振動板が当接しないタイプのヘッドホンよりも、耳穴により近い位置の振動板１１１から気導音を放出することで距離減衰が少なく、音声伝達装置１００は、効率よく音声伝達を行える。また、音声伝達装置１００は、振動板１１１からの振動を耳介に伝え、外耳の皮膚表面から気導音を放出させることで、さらに鼓膜に近い位置で気導音を生成し、小さい振動出力でも十分に聞こえるようにできる。さらにまた、音声伝達装置１００は、振動板１１１を直接耳に当接させるので、骨伝導による音声伝達効果を得られ、一部の伝音性難聴者に対しても音声を伝達できる。
また、上述のように、音声伝達装置１００は、非常に簡易な構造であり、製造を容易にできる。
さらに、音声伝達装置１００は、装着が容易であって装用感も良好である。
さらにまた、音声伝達装置１００は、電池で動作可能であり、装置が小型で軽量なので携帯性に優れる。
その上、音声伝達装置１００は、イコライジング機能により周波数特性を改善することもできる。
【００４７】
（第２実施形態）
図６は、本発明の第２実施形態の音声伝達装置２００を示す図である。
第２実施形態の音声伝達装置２００は、振動板ユニット２１０の構成が第１実施形態の振動板ユニット１１０と異なる他は、第１実施形態と同様である。よって、前述した第１実施形態と同様の機能を果たす部分には、同一の符号を付して、重複する説明を適宜省略する。
【００４８】
第２実施形態の振動板ユニット２１０は、振動板２１１と、振動部２１３とを有している。
【００４９】
振動板２１１は、第１実施形態の振動板１１１とは異なり、自ら振動を発生するのではなく、振動部２１３の振動が伝わることにより振動を行うものである。振動板２１１は、膜状又は板状の材料で形成されており、振動部２１３の振動により振動して気導音を発する他、人体の耳介に振動を伝える機能を有している。振動板２１１は、第１実施形態の振動板１１１と同様にフレーム１１２に支持されている。なお、振動板２１１が十分な剛性を有する場合には、フレーム１１２を省略することもできる。
【００５０】
振動板２１１の素材としては、音が伝達しやすい（伝達速度の速い）、かつ、逆に異音発生の少ない（内部損失が大きい）素材が望ましい。
例えば、振動板２１１の素材としては、三菱電機株式会社のＮＣＶ（登録商標）スピーカー振動板を用いることができる。
この他、振動板２１１の素材としては、音が伝達しやすい（伝達速度の速い）アルミニウムの金属板でもよく、逆に異音発生の少ない（内部損失が大きい）樹脂（ＰＰ、ＰＡ、ＰＥＩ等）でもよい。さらに、これらの両方の特性を持ち合わせるように、樹脂と金属を積層した板を振動板２１１の素材としてもよい。
また、振動板２１１の素材は、スピーカー振動板で主流のコーン紙でもよいが、繊維素材であるため皮脂や汗がしみ込み振動板としての機能が低下する恐れがあるため、表面を樹脂や金属でコーティングするとよい。
さらに、振動板２１１の素材としては、アクリル、ＰＥＴ等の樹脂素材でもよく、振動子の振動に応じて撓む素材であればなら何でもよく、ガラスでも金属でも構わない。
【００５１】
図７は、振動部２１３を拡大して示した図である。
図８は、振動部２１３を図７中の矢印Ｂ−Ｂで切断した断面図である。
振動部２１３は、振動子２１４と、配線２１５と、保護層２１６と、接合部２１７とを有している。振動部は、振動子２１４の振動により振動板２１１を振動させ、音と振動を効率よく伝達させるため、本音声伝達装置２００を装着時に、耳穴の直上となる振動板の位置に振動部を配置することが望ましい。
【００５２】
振動子２１４は、圧電セラミックのバイモルフ素子であり、ベンディングモード（撓み振動）で駆動する。振動子２１４に使用する圧電材料は、高変位な圧電材料を積層した素子であり、駆動部１３０からの駆動信号によって、アンプから音声信号に忠実な電圧が振動子２１４へ印加されることにより、振動子２１４は、（結果として）音声信号を再現するように振動する。そして、振動子２１４の振動は、振動板２１１に伝えられる。
【００５３】
配線２１５は、一端が配線１４０と接続されており、他端が振動子２１４に接続されている。
【００５４】
保護層２１６は、振動子２１４の表面電極を保護するために設けられており、樹脂モールドにより形成されている。
【００５５】
接合部２１７は、振動部２１３を振動板２１１に接合する。接合部２１７は、樹脂系の接着材としてもよいし、両面テープとしてもよい。また、図８のような接合部の形態とせずに、振動部２１３の上から覆いかぶせるようにテープ等を用いて振動部２１３を振動板２１１に取り付けてもよい。
【００５６】
以上説明した第２実施形態によれば、振動子２１４を用いて振動板２１１を振動させるので、振動板２１１の素材を、より多くの選択肢の中から選択して用いることができる。よって、より意匠性を高めたり、より安価な材料を選択したり、より装用感のよい材料を選択したりできる。
【００５７】
（第３実施形態）
図９は、第３実施形態の振動部３１３を振動部３１３の平面の法線方向から透視して示した図である。
図１０は、振動部３１３を図９中の矢印Ｃ−Ｃで切断した断面図である。
第３実施形態の音声伝達装置３００は、振動部３１３の形態が第２実施形態の振動部２１３と異なる他は、第２実施形態と同様である。よって、前述した第２実施形態と同様の機能を果たす部分には、同一の符号を付して、重複する説明を適宜省略する。
【００５８】
第３実施形態の振動部３１３は、振動子２１４と、当接部材３１６Ａと、両面テープ３１８と、枠部材３１６Ｂと、基材３１９と、接合部３１７とを備えている。
【００５９】
振動子２１４は、第２実施形態と同様の圧電セラミックのバイモルフ素子である。振動子２１４は、両面テープ３１８を用いて当接部材３１６Ａに対して全面が貼り付けられており、振動子２１４の振動は、そのまま当接部材３１６Ａへ伝わる。
【００６０】
当接部材３１６Ａは、薄板状の部材であり、周縁部分が基材３１９に対して接着又は両面テープを用いて固定されている。また、当接部材３１６Ａの中心付近には、上述したように振動子２１４が両面テープ３１８により貼り付けられている。したがって、当接部材３１６Ａは、振動子２１４が振動すると、振動子２１４の撓み振動と共に撓み振動を行う。
【００６１】
当接部材３１６Ａとしては、アクリル、ＰＥＴ等の樹脂素材が望ましいが、振動子の振動に応じて撓む素材であれば何でもよく、ガラスでも金属でも構わない。
【００６２】
両面テープ３１８は、振動子２１４と当接部材３１６Ａとを接合するための接着部材である。
【００６３】
枠部材３１６Ｂは、振動部３１３の当接部材３１６Ａとは反対側、及び、外周領域を形成する部材である。枠部材３１６Ｂと振動子２１４との間には、隙間Ｓが設けられている。この隙間Ｓを設けることにより、振動子２１４及び当接部材３１６Ａの振動を阻害することを防止できる。なお、隙間Ｓの部分には、振動を阻害しないような柔軟な素材、例えば、スポンジ状の部材等を設けてもよい。
【００６４】
基材３１９は、当接部材３１６Ａと枠部材３１６Ｂとを接続する部材であり、枠部材３１６Ｂの内側であって、外周壁部分に沿って振動子２１４を囲むように配置されている。ただし、基材３１９は、振動子２１４には、接触しないように設けられている。
【００６５】
接合部３１７は、第２実施形態の接合部２１７と同様に、振動部３１３を振動板２１１に接合する。
【００６６】
第３実施形態では、振動子２１４を枠部材３１６Ｂで覆うので、振動子２１４を外力から保護して破損を防止できる。また、隙間Ｓが設けられているので、振動子２１４の振動を阻害することなく、振動子２１４を保護できる。
【００６７】
（第４実施形態）
図１１は、第４実施形態の振動部４１３を振動部４１３の平面の法線方向から透視して示した図である。
図１２は、振動部４１３を図１１中の矢印Ｄ−Ｄで切断した断面図である。
第４実施形態の音声伝達装置４００は、振動部４１３の形態が第２実施形態の振動部４１３と異なる他は、第２実施形態と同様である。よって、前述した第２実施形態と同様の機能を果たす部分には、同一の符号を付して、重複する説明を適宜省略する。
【００６８】
第４実施形態の振動部４１３は、振動子２１４と、当接部材４１６Ａと、両面テープ４１８と、保護枠４１９と、保護層４１６Ｂと、接合部４１７とを備えている。
【００６９】
振動子２１４は、第２実施形態と同様の圧電セラミックのバイモルフ素子である。振動子２１４は、両面テープ４１８を用いて当接部材４１６Ａに対して全面が貼り付けられており、振動子２１４の振動は、そのまま当接部材４１６Ａへ伝わる。
【００７０】
当接部材４１６Ａは、薄板状の部材であり、周縁部分が保護枠４１９に対して接着又は両面テープを用いて固定されている。また、当接部材４１６Ａの中心付近には、上述したように振動子２１４が両面テープ４１８により貼り付けられている。したがって、当接部材４１６Ａは、振動子２１４が振動すると、振動子２１４の撓み振動と共に撓み振動を行う。
【００７１】
当接部材４１６Ａとしては、アクリル、ＰＥＴ等の樹脂素材が望ましいが、振動子の振動に応じて撓む素材であればなら何でもよく、ガラスでも金属でも構わない。
【００７２】
両面テープ４１８は、振動子２１４と当接部材４１６Ａとを接合するための接着部材である。
【００７３】
保護枠４１９は、振動子２１４の外周を囲むように全体が略長方形形状に形成されている。また、保護枠４１９の振動子２１４の板面と対向する位置は、保護枠４１９自体では貫通孔となっており、この孔を塞ぐように当接部材４１６Ａと保護層４１６Ｂとが設けられている。
【００７４】
保護層４１６Ｂは、振動子２１４の表側を保護するために設けられており、樹脂モールドにより形成されている。保護層は、樹脂モールドにより形成するために、図１２中に示した隙間Ｓを設けることが難しい。しかし、振動子２１４の振動を阻害しないようにするためには、隙間Ｓを設けることが望ましい。そこで、本実施形態では、隙間Ｓが形成可能なようにスポンジをこの隙間Ｓ部分に重ねた後に、保護層４１６Ｂを形成している。これにより、隙間Ｓ部分には、スポンジが介在することになり、振動子２１４の振動を阻害することがない。
【００７５】
接合部４１７は、第２実施形態の接合部２１７と同様に、振動部４１３を振動板２１１に接合する。
【００７６】
なお、当接部材４１６Ａを設けずに、第２実施形態の形態に保護枠４１９を追加するような形態としてもよい。この場合、保護層４１６Ｂを形成する樹脂が当接部材４１６Ａの部分、及び、隙間Ｓの部分についてもモールドするようにしてもよい。
【００７７】
第４実施形態では、振動子２１４を保護枠４１９で覆うので、振動子２１４を外力から保護して破損を防止できる。また、隙間Ｓの部分にスポンジを介在させることにより、振動子２１４の振動を阻害することなく、振動子２１４を保護できる。
【００７８】
以上、この発明の実施形態につき、図面を参照して詳述してきたが、具体的な構成はこの実施形態に限られるものではなく、この発明の要旨を逸脱しない範囲の設計等も含まれる。
【００７９】
（変形形態）
（１）各実施形態において、フレームは、円形の例を挙げて説明した。これに限らず、例えば、フレームは、楕円形や四角形、ハート型、その他の形状でもよい。
【００８０】
（２）各実施形態において、振動板は、単なる平板であって孔等が形成されていない例を挙げて説明した。これに限らず、例えば、振動板に貫通孔を設けてもよい。
図１３は、変形形態として振動板に貫通孔を設けた音声伝達装置７００を示す図である。
音声伝達装置７００の振動板７１１には、複数の貫通孔７１１ａが開口されている。このように、振動板に一つ以上の出力が低下しない程度の開放穴を設けることにより、外界の音を遮断しないようにすることができ、例えば、スポーツ中に音楽を聞く状態で外界の音を聞かせる等の利用が可能である。本発明の振動板は、構造が簡単であり、加工も容易であることから、上述のように貫通孔を設けることも容易に行える。
また、貫通孔を設けなくとも、振動板を薄く設計することで、外界の音によって振動板が振動可能として、外界の音の遮断性を小さくしてもよい。
これとは逆に、音楽を集中して聞く用途に適した音声伝達装置とする場合には、振動板を厚く設計し外界の音の遮断性を高めてもよい。
【００８１】
（３）各実施形態において、振動部を平坦な形状とする例を挙げて説明した。これに限らず、例えば、振動部の外周部分、例えば、フレームから利用者の頭部側に壁面を突出形成させてキャビティ（空間）を設け、外界の音を遮断すると共に、キャビティによる音響調整を施してもよい。
【００８２】
（４）各実施形態において、装着部は、ネックバンド型になっている例を挙げて説明した。これに限らず、例えば、装着部は、利用者の頭部上方に装着される、いわゆるヘッドバンド型の形態としてもよい。
図１４は、装着部をヘッドバンド型とした音声伝達装置の例を示す図である。
この図１４に示す音声伝達装置５００の装着部５２０は、バンド部５２１と、振動板支持部５２２とを有している。
バンド部５２１は、利用者の頭部上方に回り込むように形成されたバンド状の部分である。
振動板支持部５２２は、湾曲した弧状に形成されており、両端が振動板５１１を支持し、中央付近でバンド部５２１に接続されている。
これらバンド部５２１と、振動板支持部５２２とを有している装着部５２０は、振動板５１１に対して付勢力を与え、振動板５１１が人体の頭部を耳に当接する位置で挟み込むようにしている。
また、振動板５１１は、フレームを用いなくとも形状を保持可能な程度の硬さを有した金属板等により構成されており、この例では、略四角形形状に形成されている。
【００８３】
（５）上記変形形態（４）において、図１４に示すようなヘッドバンド型とする例を示したが、装着部は、これ以外の形態で振動板を人体の耳に当接させるように構成してもよい。
図１５は、装着部に眼鏡を利用した音声伝達装置の例を示す図である。
この図１５に示す音声伝達装置６００の装着部６２０は、テンプル部６２１と補助支持部６２２とを有している。
テンプル部６２１は、眼鏡のテンプル部分（ツル部分）を利用しており、その一部に振動板６１１を固定してある。
補助支持部６２２は、テンプル部６２１から装着状態における下方に延在しており、振動板６１１が固定されている。テンプル部６２１だけでは振動板６１１の上方のみしか支えられないことを補い、かつ、振動板６１１に付勢力を与えるために、この補助支持部６２２を設けるとよい。これにより、振動板６１１を人体の耳に十分に当接させることができる。
また、振動板６１１は、フレームを用いなくとも形状を保持可能な程度の硬さを有した金属板等により構成されており、この例では、略四角形形状に形成されている。
【００８４】
（６）各実施形態において、振動板をフレームで囲んで保持する形態を説明した。これに限らず、振動板が適切に人体の耳に当接できれば、どのような形態で振動板を支持してもよい。例えば、フレームは、振動板１１１の周囲を全周囲む必要もない。また、上記の変形形態で示した図１４及び図１５の場合ように、振動板自体が支持材無しでも装着時の圧力に耐えてその振動板の形状を保つことが可能な素材（例えばガラス板やアクリル板等）である場合は、振動板の一部のみを保持する構造としてもよい。
【００８５】
（７）各実施形態において、振動板は、左右それぞれに１つずつ設けられている例を挙げて説明した。これに限らず、例えば、いずれか一方のみに振動板が設けられている形態であってもよい。また、振動板が左右それぞれに１つずつ設けられている場合に、音声情報は、ステレオ音声であってもよいし、モノラル音声であってもよい。
【００８６】
（８）各実施形態において、音声伝達装置は、再生機器１５０と有線で配線される例を挙げて説明した。これに限らず、例えば、音声伝達装置は、駆動部への音声信号の入力を、Ｂｌｕｅｔｏｏｔｈ（登録商標）等の近接通信を利用して行う構成としてもよい。
【００８７】
（９）各実施形態において、音声伝達装置は、駆動部と振動部とを分けて構成する例を挙げて説明した。これに限らず、例えば、音声伝達装置は、駆動部と振動部とを一体として構成したものであってもよい。
【００８８】
なお、各実施形態及び変形形態は、適宜組み合わせて用いることもできるが、詳細な説明は省略する。
【符号の説明】
【００８９】
１００    音声伝達装置
１１０    振動板ユニット
１１１    振動板
１１１ａ  圧電膜
１１１ｂ  保護層
１１２    フレーム
１１２ａ  フランジ部
１２０    装着部
１３０    駆動部
１３１    イコライザ
１３２    アンプ
１４０    配線
１５０    再生機器
１５１    増幅回路
１５２    出力部
２００    音声伝達装置
２１０    振動板ユニット
２１１    振動板
２１３    振動部
２１４    振動子
２１５    配線
２１６    保護層
２１７    接合部
３００    音声伝達装置
３１３    振動部
３１６Ａ  当接部材
３１６Ｂ  枠部材
３１７    接合部
３１８    両面テープ
３１９    基材
４００    音声伝達装置
４１３    振動部
４１６Ａ  当接部材
４１６Ｂ  保護層
４１７    接合部
４１８    両面テープ
４１９    保護枠
５００    音声伝達装置
５１１    振動板
５２０    装着部
５２１    バンド部
５２２    振動板支持部
６００    音声伝達装置
６１１    振動板
６２０    装着部
６２１    テンプル部
６２２    補助支持部
７００    音声伝達装置
７１１    振動板
７１１ａ  貫通孔
【図１】
2014175947.tif 000003
【図２】
2014175947.tif 000004
【図３】
2014175947.tif 000005
【図４】
2014175947.tif 000006
【図５】
2014175947.tif 000007
【図６】
2014175947.tif 000008
【図７】
2014175947.tif 000009
【図８】
2014175947.tif 000010
【図９】
2014175947.tif 000011
【図１０】
2014175947.tif 000012
【図１１】
2014175947.tif 000013
【図１２】
2014175947.tif 000014
【図１３】
2014175947.tif 000015
【図１４】
2014175947.tif 000016
【図１５】
2014175947.tif 000017